(57)【要約】音声を捕捉するように１つ以上の口腔内マイクロホンを設置することによって通信するための音声を捕捉するためのシステム、デバイス、および方法について本明細書に開示する。また、本システムおよび方法は、遠隔ユニットと音声を通信するように、口装着型通信機を口腔に設置することを含む。口腔内マイクロホンは、カージオイド型指向性マイクロホンおよび無指向性マイクロホンを備え得る。１つ以上の口腔内マイクロホンは、組織設置型であることができるか、または１つ以上の歯の上に設置されることができる。本システムは、骨伝導デバイスを使用して音声出力を提供することができる。
2011528535.tif 000002
【特許請求の範囲】
【請求項１】
ａ．遠隔ユニットと音声を通信する口装着型通信機であって、該口装着型通信機は口腔の内部に位置する、口装着型通信機と、
ｂ．該口装着型通信機に連結されている１つ以上の口腔内マイクロホンであって、該口腔内の組織と接触して該口腔の外部の音声を捕捉する、１つ以上の口腔内マイクロホンと
を備える、通信デバイス。
【請求項２】
前記１つ以上の口腔内マイクロホンは、１つ以上の雑音消去マイクロホンを備える、請求項１に記載の通信デバイス。
【請求項３】
前記１つ以上の口腔内マイクロホンは、カージオイド型指向性マイクロホンおよび無指向性マイクロホンを備える、請求項１に記載の通信デバイス。
【請求項４】
口腔に向けられる第１の口腔内マイクロホンと、該口腔の外部の音声を受信するように配置される第２の口腔内マイクロホンとを備える、請求項１に記載の通信デバイス。
【請求項５】
前記１つ以上の口腔内マイクロホンは、空間的および時間的フィルタリングを実行することにより、所定の方向からの所定の周波数帯域における前記音声を強化し、他の方向からの信号を抑制する、請求項１に記載の通信デバイス。
【請求項６】
前記１つ以上の口腔内マイクロホンは、前記口腔内において頬の組織に対向するように、１つ以上の歯の上に位置している、請求項１に記載の通信デバイス。
【請求項７】
前記１つ以上の口腔内マイクロホンは、組織設置型である、請求項１に記載の通信デバイス。
【請求項８】
前記口装着型通信機は、骨伝導デバイスを備える、請求項１に記載の通信デバイス。
【請求項９】
前記口装着型通信機は、カスタムの口腔デバイスを備える、請求項１に記載の通信デバイス。
【請求項１０】
前記口装着型通信機は、その中に埋め込まれる１つ以上の医療センサを備える、請求項１に記載の通信デバイス。
【請求項１１】
前記口装着型通信機は、データ記憶デバイスを備える、請求項１に記載の通信デバイス。
【請求項１２】
発話を捕捉する方法であって、
ａ．口腔外の、および口腔内組織を通して伝導される発話を捕捉するために、該口腔内組織に接触する１つ以上のマイクロホンを口腔内に設置することと、
ｂ．該捕捉された発話から雑音を消去することと、
ｃ．該捕捉された発話を伝達することと
を含む、方法。
【請求項１３】
通信のための音声を捕捉する方法であって、
ａ．音声を捕捉するために、口腔内における組織に接触する１つ以上のマイクロホンを設置することであって、該組織は、該口腔の外部からの音声を搬送する、ことと、
ｂ．音声を遠隔ユニットと通信するために、口装着型通信機を該口腔内に設置することと
を含む、方法。
【請求項１４】
雑音を消去することを含む、請求項１３に記載の方法。
【請求項１５】
前記１つ以上の口腔内マイクロホンは、カージオイド型指向性マイクロホンおよび無指向性マイクロホンを備える、請求項１３に記載の方法。
【請求項１６】
第１の口腔内マイクロホンを前記口腔の方へ向け、第２の口腔内マイクロホンを該口腔から離れる方へ向けることを含む、請求項１３に記載の方法。
【請求項１７】
所定の方向からの所定の周波数帯域における前記音声を強化し、他の方向からの信号を抑制するために、空間的および時間的フィルタリングを実行することを含む、請求項１３に記載の方法。
【請求項１８】
前記１つ以上の口腔内マイクロホンを１つ以上の歯の上に設置することを含む、請求項１３に記載の方法。
【請求項１９】
前記１つ以上の口腔内マイクロホンを組織の上に設置することを含む、請求項１３に記載の方法。
【請求項２０】
骨伝導デバイスを使用して、音声出力を生成することを含む、請求項１３に記載の方法。
【発明の詳細な説明】
【背景技術】
【０００１】
従来では、消防士および工場労働者等の現場作業者は、Ｍｏｔｏｒｏｌａ，  Ｉｎｃ．により供給される無線機等の双方向無線機を使用して通信する。特許文献１に述べられるように、双方向無線機によって、ユーザは、小ネットワーク上で他人と無線通信することが可能になる。大部分の双方向無線機は、通信のために種々のチャンネルまたは周波数を使用する。２つ以上のチャンネルの監視によって、ユーザは、多種多様の目的で複数の人々と通信することが可能になる。例えば、セキュリティ環境では、緊急状態について通信し、かつそれを監視するために、チャンネル１が使用され得る。チャンネル２は、重大なセキュリティ脅威について通信し、かつそれを監視するために使用され得る。チャンネル３は、軽微なセキュリティ脅威について通信し、かつそれを監視するために使用され得る。ユーザは、走査モードを有する双方向無線機を使用することによって、３つ全てのチャンネルを監視し得る。双方向無線機の代わりに使用可能な他のデバイスには、携帯電話が含まれる。これらのデバイスは、無線ネットワークインフラストラクチャ（例えば、セルラネットワーク、通信衛星、または音声通信のために適合された他の無線ネットワークの他のインフラストラクチャ）の届く範囲内のどこからでも、電話アクセスを可能にすることによって、個人通信を可能にする。しかしながら、１つの制限として、これらのデバイスが、典型的には、デスクトップ型デバイスまたはハンドヘルド型デバイスであるため、ハンズフリー通信能力を提供しないことが挙げられる。
【０００２】
さらに、ハンドヘルド型無線音声通信デバイスは、家庭およびオフィスに制限されないため、このようなデバイスはしばしば、かなりの周囲雑音がある環境で使用される。このような環境の例として、人通りの多い都市環境、移動中の車両内、および工場の現場が挙げられる。環境内の周囲雑音は、受信した音声可聴周波数の了解度を劣化し、それにより、ユーザの通信能力が妨害され得る。
【０００３】
特許文献２は、所望の信号、具体的には、所望の発話信号を抽出するための適応雑音消去マイクロホンシステムであって、相互から所定の距離を置いて配置される２つのマイクロホンと、２つのマイクロホンから受信した音声から生じる第１および第２の信号を受信するように適合される信号形成システム（ＳＦＳ）であって、第１の入力信号中の音響信号成分は判断され、第２の入力信号中の音響信号成分は判断され、第１の入力信号中の音響信号成分は、発話強化信号を生成するように強化され、第２の入力信号中の音響信号成分は、発話無効信号を生成するように抑制される信号形成システム（ＳＦＳ）と、発話強化信号および発話無効信号を受信するように適合される適応雑音消去フィルタ回路であって、発話増強信号中の雑音は、発話無効信号を基準として使用して消去されることによって、所望の信号を表わす出力フィルタ済信号を生成する適応雑音消去フィルタ回路とを有するシステムを開示する。
【０００４】
特許文献３は、音声通信デバイスの少なくとも一部による雑音の物理的遮断をシミュレートするフィルタで、周囲雑音をフィルタにかけることによって、雑音環境に発せられる発話の了解度を強化するステップについて論じており、周囲雑音に対して受信した音声可聴周波数の周波数依存ＳＮＲを判断するステップは、知覚（例えば、バーク）周波数尺度で計算される。フォルマントが識別され、一定のフォルマントを含む帯域内のＳＮＲが、了解度を改善するために、フォルマント強化利得係数で修正される。
【０００５】
しかしながら、一定の産業用途、緊急用途、政府用途、および軍事用途では、このような雑音フィルタリングは、高品質でハンズフリーであるが、目立たない通信能力を現場要員に提供するには不十分である。
【先行技術文献】
【特許文献】
【０００６】
【特許文献１】米国特許出願公開第２００７／０１４２０７２号明細書
【特許文献２】米国特許第６９１７６８８号明細書
【特許文献３】米国特許出願公開第２００６／０２７０４６７号明細書
【発明の概要】
【課題を解決するための手段】
【０００７】
一側面では、ユーザ発話等の音声を捕捉するように、１つ以上の口腔内マイクロホンを設置することによって、および音声を遠隔ユニットと通信するように、口装着型通信機を口腔に設置することによって、通信するためのユーザ発話を含む音声を捕捉するためのシステムおよび方法が開示される。
【０００８】
上記側面の実装は、以下のうちの１つ以上を含み得る。本システムは、雑音消去を実行する。口腔内マイクロホンは、カージオイド型指向性マイクロホンおよび無指向性マイクロホンを含むことができる。本システムは、第１の口腔内マイクロホンを口腔に向かって向け、第２の口腔内マイクロホンを口腔から離隔して向けることができる。本システムは、所定の方向からの所定の周波数帯域における音声を強化し、他の方向からの信号を抑制するために、空間的および時間的フィルタリングを実行することができる。１つ以上の口腔内マイクロホンは、組織設置型であることができるか、または１つ以上の歯の上に設置されることができる。本システムは、骨伝導デバイスを使用して音声出力を提供することができる。
【０００９】
別の側面では、通信デバイスは、遠隔ユニットと通信するための口装着型通信機と、口装着型通信機に連結され、かつ音声を捕捉するように口の前部付近に位置している１つ以上の口腔内マイクロホンとを含む。
【００１０】
上記側面の実装は、以下のうちの１つ以上を含み得る。１つ以上の口腔内マイクロホンは、雑音消去マイクロホンであることができる。１つ以上の口腔内マイクロホンは、カージオイド型指向性マイクロホンおよび無指向性マイクロホンを含むことができる。口腔内マイクロホンのうちの一方は、口腔の方へ向けられ、他方の口腔内マイクロホンは、口腔から離れる方へ向けられ得る。１つ以上の口腔内マイクロホンは、所定の方向からの所定の周波数帯域における音声またはユーザ発話を強化し、他の方向からの信号を抑制するために、空間的および時間的フィルタリングを実行することができる。口腔内マイクロホンは、１つ以上の歯または口腔組織の上に位置し得る。口装着型通信機は、装着者に可聴である音声を提供するように、骨伝導デバイスを含むことができる。口装着型通信機は、カスタムの口腔デバイスであり得る。１つ以上の医療センサをその中に埋め込むことができる。また、データ記憶デバイスも本デバイスに埋め込むことができる。
【図面の簡単な説明】
【００１１】
【図１】図１は、患者の歯の歯列と、着脱可能な口腔器具として発話を捕捉および伝達するために雑音消去マイクロホンを含む双方向通信デバイスの一変形例とを図示する。
【図２Ａ】図２Ａは、着脱可能な口腔器具の通信デバイスを載置するための１つの例示的な位置を示す、下側の歯の斜視図を図示する。
【図２Ｂ】図２Ｂは、マウスガードの様態で歯列全体を覆って載置される器具の形式である、着脱可能な口腔器具の別の変化例を図示する。
【図２Ｃ】図２Ｃは、アーチによって支持される、着脱可能な口腔器具の別の変化例を図示する。
【図２Ｄ】図２Ｄは、マウスガードとして構成される口腔器具の別の変形例を図示する。
【図３】図３は、口外の送信アセンブリと組み合わせて利用可能であり、かつデバイスの別の変化例において患者により装着可能である、患者の歯の上に位置している口腔器具の詳細斜視図を図示する。
【図４】図４は、口内の受信および変換器アセンブリとともに、外部送信アセンブリを有する、口腔器具デバイスの変化例における個々の構成要素の例証的構成を示す。
【図５】図５は、アセンブリ全体がユーザの口内の口腔器具によって含まれる、デバイスの別の変化例の例証的構成を示す。
【図６】図６Ａから図６Ｄは、歯列のデジタル画像を走査し、デジタル画像を操作し、任意の数の３次元印刷方法を介して口腔器具を生成することによって、口腔器具を形成するための一方法を図示する。
【図７】図７Ａから図７Ｄは、歯列のデジタル画像を走査し、デジタル画像を操作し、任意の数の３次元機械加工方法を介して口腔器具を生成することによって、口腔器具を形成するための別の方法を図示する。
【図８】図８Ａから図８Ｄは、歯列のデジタル画像を走査し、デジタル画像を操作し、熱的形成のために歯列の物理的複製を作成することによって、口腔器具を形成するための別の方法を図示する。
【図９】図９Ａから図９Ｄは、歯列のデジタル画像を走査し、デジタル画像を操作し、射出成形金型を介して口腔器具を生成することによって、口腔器具を形成するためのさらに別の方法を図示する。
【図１０】図１０Ａおよび図１０Ｂは、電子機器および／または変換器アセンブリのための筺体が、走査前に、患者の１つまたは複数の歯に直接接着され得る別の方法を示す。
【図１１−１】図１１Ａおよび図１１Ｂは、金型を介した歯列の直接印象の作成を利用するさらに別の方法を図示する。
【図１１−２】図１１Ｃから図１１Ｆは、口腔器具をその上に熱的形成するように、歯列の直接印象から形成される金型またはモデルを利用するための一方法を図示する。
【図１２−１】図１２Ａおよび図１２Ｂは、筺体がそこに接着される歯列の直接印象を利用するさらに別の方法を図示する。
【図１２−２】図１２Ｃから図１２Ｅは、口腔器具をその上に熱的形成するように、歯列の直接印象から作成される、その中に筺体を有する金型またはモデルを利用するための別の方法を図示する。
【図１３】図１３Ａから図１３Ｃは、口腔器具を形成する前に、その中に形成される筺体を印象が有し得るさらに別の方法を図示する。
【図１４】図１４Ａから図１４Ｃは、電子機器および／または変換器アセンブリが印象と一体型であり得るさらに別の方法を図示する。
【図１５】図１５Ａは、電子機器および／または変換器筺体が一体型である歯科用トレイの例を示す。図１５Ｂから図１５Ｄは、ポリマーが患者の歯列に一致され、かつ一致する口腔器具を作成するように固められ得る歯科用トレイを利用するための例を図示する。
【発明を実施するための形態】
【００１２】
ここで、図１に示すシステム１に関するさらなる詳細を参照すると、患者の口および歯列１０が図示され、臼歯１２等の少なくとも１つの歯の上に、またはそれに対して、双方向通信アセンブリ１４を着脱可能に取り付けるための１つの可能な位置を示す。患者の舌ＴＧおよび口蓋ＰＬも参考に図示される。電子機器および／または変換器アセンブリ１６が、以下にさらに詳細に説明するように、アセンブリ１４の中、またはその上に、取り付けられ得るか、接着され得るか、あるいは埋め込まれ得る。
【００１３】
双方向通信アセンブリ１４は、対を成すマイクロホン１５Ａおよび１５Ｂを含むマイクロホン配列を有し、音声を拾うことができる。マイクロホン１５Ａおよび１５Ｂは、口腔器具、奥歯、または代替として前歯の舌側に設置され得る。他の実施形態では、マイクロホン１５Ａおよび１５Ｂは、口腔内マイクロホンまたは口腔外マイクロホンであり得る。一実施形態では、マイクロホンは、口腔器具、奥歯、または代替として前歯の舌側に設置され得る。図１では、マイクロホン１５Ａ〜１５Ｂは、保持具等の器具の頬面上に設置され、マイクロホン１５Ａ〜１５Ｂは、装着者の頬に向けられる。これらのマイクロホンは、装着者自身の音声を拾う。本構成では、装着者の音声は、口腔の外部から拾われる。また、装着者の口の前部付近に位置する代替マイクロホン対１５Ｃ〜１５Ｄも、図１に示される。マイクロホン１５Ａ〜１５Ｂと同様に、マイクロホン１５Ｃ〜１５Ｄは、装着者の頬に対向する。また、口腔内マイクロホン１５Ｃ〜１５Ｄは、装着者自身の声を含む装着者の頭部により伝導される音声を拾うように、頬の表面に触れる歯の頬面上にも設置される。
【００１４】
マイクロホンは、環境雑音を消去し、ユーザの声を遠隔のユーザ、ステーション、または建物に伝達する。本実施形態は、対象者自身の声を、別のユーザまたはコールセンター等の遠隔ステーションに伝達するとともに、環境雑音を消去する能力を提供する。マイクロホンが（通常の無線通信デバイスと比較して）固定された位置にあり、ユーザ自身の声に非常に近いため、本システムは、高雑音区域で作業する際に重要である環境雑音低減に対応することができる。したがって、双方向通信デバイスは、とりわけ、プロの芸人または運動選手および／もしくはサポート要員、兵士、医者、消防士、緊急作業員等の、騒々しい環境内の労働者によって使用することができる。
【００１５】
一実施形態では、口装着型通信アセンブリ１４は、少なくとも１つの歯の少なくとも一部分に一致する形状を有する筐体と、筐体内、またはその上に配置され、かつ少なくとも１つの歯の表面と振動通信する作動型変換器と、受信した音声をユーザに提供するように、および通信をユーザに提供するように、変換器に連結される無線通信トランシーバとを有する。双方向通信デバイスは、少なくとも１つの歯に一致する形状を有する口腔器具であり得る。電子アセンブリを、筐体内、またはその上に配置することができ、電子アセンブリは、変換器と通信する。
【００１６】
一実施形態では、マイクロホン１５Ａおよび１５Ｂは、口のみから発生する音声に焦点を合わせるように、口から離隔して外側に向き、このマイクロホン対は、口の前部においていかなる音声も直接消去しない。本実施形態は、ユーザの声を拾うための通信デバイスとして使用され得る。一実施形態では、マイクロホン対は、音響的に結合して組み合わせられるカージオイド型指向性マイクロホンと、無指向性マイクロホンとを含むことができる。２つのマイクロホンは、適応制御回路とともに、所望の発話信号を取得するために、非常に狭い３次元ビームを生成する。マイクロホンに加え、音波の検出に適用可能である加速度計または他のデバイスを使用することができる。
【００１７】
別の実施形態では、マイクロホン１５Ａおよび１５Ｂは、反対方向に向き、一方は、口に向かって内側に向き、他方は、口から離隔して外側に向く。別の実施形態では、マイクロホン１５Ａおよび１５Ｂは、反対方向に向き、一方は、口に向かって内側に向き、他方は、口から離隔して外側に向く。
【００１８】
一実施形態では、対を成すマイクロホン１５Ａ〜１５Ｂは、第１の音声波形において周囲雑音を検出し、波形を電気信号に変換する。内蔵プロセッサは、記録された信号を処理して、マイクロホン１５Ａ〜１５Ｂにより検出された周囲雑音とは正確に位相を異ならせるようにして、周囲雑音を消去し、ユーザの発話のみを残す。
【００１９】
２つのマイクロホンの一実施形態では、両方のマイクロホンは、ユーザの口の前部付近に位置し、ユーザの声を１次所望信号として拾い、また、外部雑音を２次信号として拾うことができる。発話は、マイクロホン対に極めて近接することから、マイクロホンにより拾われた発話信号は、クラスタリング技法を使用して、強い信号（発話）と遠くて弱い信号（雑音）との対に分離され得る。弱い信号を破棄することができ、強い信号のみが発話信号として使用される。
【００２０】
２つのマイクロホンの別の実施形態では、一方のマイクロホンは、ユーザの声を所望の音源として拾うように喉に向けられ、別のマイクロホンは、外部雑音源を拾うように口から離隔して向けられることができる。喉に向けられるマイクロホンにより拾われた信号を使用して、口から離隔して向けられるマイクロホンにより拾われた信号からの雑音信号を適応的に消去することができる。
【００２１】
他の雑音消去配置を使用することができる。例えば、単一のマイクロホンの実施形態では、１つのマイクロホンを使用して、雑音を含む所望の発話信号を拾う。雑音スペクトルは、マイクロホンにより拾われた発話信号（雑音を含む）から推定され、差し引かれる。このように、所望の発話信号は、雑音から分離される。
【００２２】
さらなる実施形態は、３つ以上のマイクロホンを使用する。本実施形態は、特定の方向からの関連周波数帯域における所望の発話信号を強化し、他の方向からの信号を抑制するために、空間的および時間的なフィルタリング方法を使用する。本システムで取得された所望の信号は、高信号対雑音（ＳＮＲ）比を有する。代替として、２つのマイクロホンを使用して、雑音消去のための１次マイクロホンシステムを形成することができる。このマイクロホンシステムは、音場の特異的特性を使用して、ユーザの口の前部における固定ビームパターンを形成する。
【００２３】
一実施形態では、図１のシステムは、双方向通信アセンブリを形成するように、着脱可能な口腔器具または他の口腔デバイスの中、またはその上に取り付け、接着、あるいは埋め込み可能である電子機器および変換器デバイスを提供する。通信アセンブリ１４は、とりわけ、救急および警備要員、医療職員、地方自治体職員、工場労働者、コミュニケーションを必要とする騒々しい環境内の個人（ミュージシャン、運動選手、および彼らのサポート要員）、および軍隊によって使用することができる。
【００２４】
別の実施形態では、図１のデバイスは、患者識別可能情報を含む医療タグを形成するように、着脱可能な口腔器具または他の口腔デバイスの中、またはその上に、取り付け、接着、あるいは埋め込み可能である電子機器および変換器デバイスを提供する。このような口腔器具は、従来の歯科印象法によって得られた歯の構造の複製モデルを利用して、熱形成過程によって製作されるカスタムメイドのデバイスであってもよい。電子機器および変換器アセンブリは、直接的に、または受信機を通して、入力音声を受信して、信号を処理および増幅し、保持具、器具、歯、または上顎骨、下顎骨、もしくは口蓋骨等の他の骨構造に連結された振動変換器要素を介して、処理した音声を伝達し得る。一実施形態では、保持具は、音声伝達を骨に提供するように、歯の上に適合され得る。例えば、デバイスは、ユーザの唾液中に存在する化学物質を検出し、かつユーザに関する医療情報を提供するセンサを含むことができる。また、デバイスは、口内で拾うことができる心拍数、ＥＫＧ、および他の生体信号も検知することができる。加えて、デバイス１は、温度、心拍数、ＥＫＧ、呼吸数、および他のバイタルサイン等のバイタルサイン、または医療情報を収集可能である医療データ収集モジュールと通信することができる。
ユーザ（消防隊員等）から医療情報を収集し、かつ骨伝導双方向通信を支援するための例示的過程は、以下の通りであり得る。
【００２５】
バイタルサインおよび他の医療情報を周期的に収集する。  
【００２６】
ユーザが話すために長距離トランシーバを使用しているか否かを確認する。
【００２７】
長距離トランシーバが話をするために使用されていなければ、ユーザの医療履歴を、長距離トランシーバ上で遠隔コンピュータにアップロードする。
【００２８】
医療データが医学的介入を必要とする許容範囲外であるかを遠隔コンピュータが検出する。
【００２９】
潜在的問題があること、および／またはユーザが指揮所に連絡するべきであることを警告するアラーム音がユーザに生成される。
【００３０】
医学的介入が必要とされる場合、遠隔コンピュータは、ユーザを支援する行動について、ユーザの指揮官に警告する。
【００３１】
トランシーバを通して、骨伝導通信デバイスに自助命令を送信することができる。
【００３２】
図２Ａは、患者の下側歯列の斜視図を示し、着脱可能な口腔器具１８と、アセンブリ１４の側面に沿って位置している電子機器および／または変換器アセンブリ１６とを備える補聴器アセンブリ１４を図示する。本変形例では、口腔器具１８は、患者の歯の上で安定させるために、口腔器具１８により画定された歯用係合チャネル２０内において、２つの臼歯１２の上に適合させられ得るが、他の変形例では、単一の臼歯または歯を利用してもよい。代替として、３つ以上の臼歯を利用して、その臼歯の上に、またはそれを覆って口腔器具１８を取り付けてもよい。さらに、電子機器および／または変換器アセンブリ１６は、アセンブリ１６が歯１２の頬面に沿って整合されるように、口腔器具１８の側面上に位置した状態で示されている。しかしながら、歯１２の舌面等の他の表面および他の位置も利用してもよい。図面は、変形例を例証したものであり、限定することを意図するものではない。したがって、口腔器具１８の他の構成および形状を本明細書に含めることが意図される。
【００３３】
図２Ｂは、マウスガードの様態で歯列全体を覆って載置される器具１５の形式である、着脱可能な口腔器具の別の変化例を示す。本変化例では、器具１５は、下側歯列全体、または代替として、上側歯列全体を被覆するように構成され得る。追加の変化例では、歯列全体を被覆せずに、代わりに歯列の大部分が器具１５によって被覆され得る。アセンブリ１６は、口腔器具１５の１つ以上の部分に沿って位置し得る。
【００３４】
図２Ｃは、アーチ型構成を有する口腔器具１７のさらに別の変化例を示す。この器具では、本変化例では上側歯列に沿って載置され得る１つ以上の歯保持部分２１、２３は、ユーザの口蓋に隣接して、またはそれに沿って位置し得るアーチ１９によって支持され得る。図示するように、電子機器および／または変換器アセンブリ１６は、歯保持部分２１、２３の１つ以上の部分に沿って位置し得る。さらに、図示する変化例は、ユーザの口蓋の一部のみを被覆し得るアーチ１９を図示するが、他の変化例は、ユーザの口蓋全体を被覆するアーチを有するように構成されてもよい。
【００３５】
図２Ｄは、ユーザの口に容易に挿入され、かつ取り外され得るマウスガードまたは保持具２５の形式である口腔器具のさらに別の変化例を図示する。このようなマウスガードまたは保持具２５は、従来のマウスガードを装着するスポーツで使用され得る。しかしながら、アセンブリ１６がその中に一体型であるマウスガードまたは保持具２５は、遠隔で命令を受信し、距離を隔てて通信するために、歯の間の溝またはチャネル２６を介して、単純にマウスガードまたは保持具２５を担持してもよい、聴覚障害者、あるはその他の人によって利用されてもよい。
【００３６】
概して、電子機器および／または変換器アセンブリ１６の体積は、口の中に載置された時に、目立たないように、かつユーザに快適になるように最小化され得る。サイズは変動してもよいが、アセンブリ１６の体積は、８００立方ミリメートル未満であり得る。この体積は、当然ながら例証的であり、アセンブリ１６のサイズおよび体積を限定するものではなく、したがって、異なるユーザ間で変動してもよい。
【００３７】
一変化例では、図３に示すように、アセンブリ１４が歯の上に位置した状態で、患者の口外に位置する頬外送信機アセンブリ２２を利用して、処理ならびに無線信号２４を介した患者の口内に位置した電子機器および／または変換器アセンブリ１６への伝達のための聴覚信号を受信してもよく、次いで、アセンブリは、聴覚信号を処理し、振動伝導を介して、処理した聴覚信号を下部の歯に伝達し、その結果として、患者の内耳に伝達し得る。
【００３８】
以下にさらに詳細に説明するように、送信機アセンブリ２２は、マイクロホンアセンブリならびに送信機アセンブリを含んでもよく、腕時計、ネックレス、ラペル、電話、ベルト装着型デバイス等の、ユーザにより装着される任意の数の形状および形式で構成されてもよい。
【００３９】
図４は、概して、音声を受信するためのマイクロホン３０を備え得、かつ聴覚信号を処理するためのプロセッサ３２に電気的に接続される頬外送信機アセンブリ２２を利用する、補聴器アセンブリ１４等の通信デバイスの一変形例の略図を図示する。プロセッサ３２は、ユーザの歯の上、またはそれに隣接して配置された電子機器および／または変換器アセンブリ１６に、処理した信号を送信するための送信機３４に電気的に接続され得る。マイクロホン３０およびプロセッサ３２は、任意の実現可能範囲の聴覚信号を検出および処理するように構成され得るが、一変化例では、例えば、２５０ヘルツから２０，０００ヘルツまでの聴覚信号を検出するように構成されてもよい。
【００４０】
マイクロホン３０に関し、多種多様なマイクロホンシステムを利用してもよい。例えば、マイクロホン３０は、デジタル、アナログ、および／または指向型マイクロホンであってもよい。このような種々の種類のマイクロホンは、必要に応じて、アセンブリとともに利用されるように交換可能に構成されてもよい。
【００４１】
電源３６は、送信機アセンブリ２２における構成要素の各々に電力を提供するように接続され得る。送信機信号２４は、アセンブリ１６への送信のために、例えば、無線周波数、超音波、マイクロ波、Ｂｌｕｅ  Ｔｏｏｔｈ（登録商標）（ＢＬＵＥＴＯＯＴＨ  ＳＩＧ，ＩＮＣ．、Ｂｅｌｌｅｖｕｅ、ＷＡ）等を利用する任意の無線形式であってもよい。また、アセンブリ２２は、１つ以上の入力制御２８を任意選択で含んでもよく、ユーザは、入力制御２８を操作して、音響集束、音量制御、フィルタ処理、ミュート、周波数最適化、音声調整、および音色調整等の電子機器および／または変換器アセンブリ１６の種々の音響パラメータを調整し得る。
【００４２】
送信機３４によって送信された信号２４は、受信機３８を介して電子機器および／または変換器アセンブリ１６によって受信され得、受信機３８は、受信した信号の追加処理のために、内部プロセッサに接続され得る。受信した信号は、変換器４０に通信され得、変換器４０は、それに対応して、歯表面に対して振動し、歯および骨を通して振動信号を伝導し、その後、中耳に伝導してユーザの聴覚を促進し得る。変換器４０は、任意の数の異なる振動機構として構成されてもよい。例えば、一変化例では、変換器４０は、電磁作動式変換器であってもよい。他の変化例では、変換器４０は、例えば、２５０Ｈｚ〜２０，０００Ｈｚの振動周波数の範囲を有する、圧電結晶の形式であってもよい。
【００４３】
また、電源４２は、受信機、変換器、および／またはプロセッサが含まれる場合に、それに電力を提供するように、アセンブリ１６にも含まれ得る。電源４２は、交換式または常設の単純なバッテリであり得るが、他の変化例は、外部充電器を介してインダクタンスによって充電される電源４２を含んでもよい。加えて、電源４２は、代替として、交流（ＡＣ）または直流（ＤＣ）源への直接連結を介して充電されてもよい。他の変化例は、例えば、顎の運動、および／または、機械的な運動を、電源４２を充電するための貯蔵電気エネルギーに変換するための動作を介して作動する、当技術で既知であるような内部振り子または摺動可能な電気インダクタンス充電器等の、機械的機構を介して充電される電源４２を含んでもよい。
【００４４】
アセンブリ１６の別の変化例では、頬外送信機利用せずに、図５に示すように、補聴器アセンブリ５０が、ユーザの口内に完全に含まれる独立アセンブリとして構成され得る。したがって、アセンブリ５０は、内蔵プロセッサ５４と通信する、内部マイクロホン５２を含み得る。内部マイクロホン５２は、上述するように、任意の数の異なる種類のマイクロホンを備え得る。プロセッサ５４は、任意の受信した聴覚信号をフィルタ処理および／または増幅し、それらを歯表面に対して振動接触している変換器５６に伝達するために、信号を処理するように使用され得る。また、電源５８も、上述のように、必要に応じて、アセンブリ５０の構成要素の各々に電力を提供するために、アセンブリ５０内に含まれ得る。
【００４５】
着脱可能な口腔器具１８は、任意の多種多様な方法を使用して、種々のポリマー材料またはポリマー材料と金属材料との組み合わせから製作されてもよい。例えば、口腔器具を製作する一変形例では、３次元デジタルスキャナを使用して、患者の歯列、具体的には、口腔器具がその上または周囲に位置した１つまたは複数の歯ＴＨを撮像し得る。走査された画像を、コンピュータを介して処理して、図６Ａおよび図６Ｂに示すように、１つまたは複数の歯ＴＨの３次元仮想またはデジタルモデル６０を作成し得る。
【００４６】
種々の３次元走査様式を利用して、３次元デジタルモデル６０を作成してもよい。例えば、レーザ、白色光、超音波、機械的３次元タッチスキャナ、磁気共鳴映像法（ＭＲＩ）、コンピュータ断層撮影法（ＣＴ）、他の工学的方法等を使用する、例えば、口腔内カメラまたはスキャナを利用してもよい。
【００４７】
３次元画像が取り込まれると、次いで、従来のソフトウェアを介してその画像を操作して、モデルの直接３次元印刷を作成し得る。代替として、画像を使用して、モデルを直接機械加工してもよい。コンピュータ数値制御（ＣＮＣ）システム等のシステム、または３次元印刷過程、例えば、ステレオリソグラフィ装置（ＳＬＡ）、選択的レーザ焼結（ＳＬＳ）、および／もしくは患者の歯列の３次元幾何学的形状を利用する他の類似の過程を利用してもよい。
【００４８】
別の代替では、金型を印刷から生成して、作成された金型の上で直接器具の熱的形成を可能にしてもよい。さらに、他の変形例では、３次元画像を使用して、器具を作成するために射出成形金型を作成してもよい。これらの過程の各々について以下にさらに詳細に説明する。
【００４９】
走査された画像を処理して、１つまたは複数の歯ＴＨの３次元仮想またはデジタルモデル６０を生成すると、電子機器／変換器アセンブリの筺体６２は、デジタルモデル６０にデジタル的に面付けまたは作成され得る。代替として、筺体の物理的モデルを、適切な１つまたは複数の歯ＴＨの上に位置してもよく、筺体を含む歯列を走査して、デジタルモデル６０を作成してもよい。
【００５０】
いずれの場合であっても、図６Ｃの部分断面図に示すように、結果として得られるデジタルモデル６０を利用して、筺体６２が一体型である器具６４の３次元仮想またはデジタルモデルを作成してもよい。次いで、図６Ｄに示すように、器具６４のデジタルモデルを使用して、物理的口腔器具６６を印刷または作成してもよい。したがって、患者の歯列に一致する口腔器具６６が、歯列の上に、またはそれに対してしっかりと接触することを確実にするとともに、ユーザに快適性を維持するように形成され得る。
【００５１】
別の代替方法では、図７Ａから図７Ｃに示すように、器具６４の３次元モデルが作成されると、口腔器具６８は、例えば、コンピュータ数値制御機械加工を利用して、ポリマー材料から直接機械加工されて、図７Ｄに示すような器具６８を作成してもよい。
【００５２】
さらに別の代替では、図８Ａおよび図８Ｂに示すように、適切な１つまたは複数のＴＨが３次元的に走査されて、筺体６２が含まれると、歯列７０の物理的モデルは、図８Ｃに示すように、３次元印刷、機械加工等の上記の過程のいずれかを利用して作成され得る。歯列７０のモデルでは、口腔器具７２は、熱的形成されるか、あるいは歯列７０の周囲に成形されて、図８Ｄに示すように、患者の歯列にしっかりと快適に一致する口腔器具を作成し得る。
【００５３】
図９Ａおよび図９Ｂに示すように、３次元仮想またはデジタルモデル６０が患者の歯列から作成され、図９Ｃに示すように、その間に空洞または空隙８０を形成する外側金型部分７６および内側金型部分７８を有する形成金型７４が製作され得る、別の代替が図示される。空洞または空隙８０は、設定可能ポリマーで全体的に充填され得、設定可能ポリマーは、図９Ｄに示すように、硬化時に口腔器具８２を形成し、口腔器具８２を、金型部分７６、７８から取り外して、患者の歯列にしっかりと快適に一致する器具８２を形成し得る。
【００５４】
上述のように、電子機器および／または変換器アセンブリの筺体は、患者の走査された歯列から生成された３次元デジタルモデル上でデジタル的に作成され得るが、図１０Ａおよび図１０Ｂに示すように、歯列を走査する前に、代替として、筺体複製８４を一時的に患者の１つまたは複数の歯ＴＨに接着してもよい。このように、３次元スキャナは、筺体複製８４を既に含む筺体複製８４を有するデジタル画像を作成し得る。
【００５５】
患者の歯列のデジタル撮像および走査とは別に、一致する口腔器具を作成するための代替機構は、適切な歯列の印象成形を利用し得る。適切な印象材料、例えば、アルギン酸塩、石膏、ポリビニルシロキサン、ポリウレタン、ポリアクリル酸塩、エチレン酢酸ビニール、およびそれらの混合または組み合わせ等で充填される金型９０を利用することによって、患者の歯列の印象９２を形成し得る一例を図１１Ａおよび図１１Ｂに示す。
【００５６】
また、歯列の印象は、図１２Ｂに示すように、その中に形成される筺体を有する印象９４を形成する前に、図１２Ａに示すように、筺体金型８４の複製が１つまたは複数の歯ＴＨに一時的に取り付けられた後にも形成され得る。
【００５７】
いずれの場合であっても、印象９２、９４が形成されると、金型９０は、適切な歯列の永久的な３次元金型またはモデルを作成するように石膏で充填され得、次いで、このモデルを使用して、上述のように、口腔器具を熱的に形成してもよく、またはデジタル的に走査して、形成過程または機械加工過程のいずれかを利用してもよい。代替として、印象９２、９４自体を走査して、上述のように、処理するための適切な歯列および／または筺体の３次元モデルを提供してもよい。
【００５８】
図１１Ｃから図１１Ｆに図示するように、その中で形成された印象９２を有する金型９０を使用して、上述のように、および図１１Ｄに示すように、３次元金型またはモデル９５を形成し得る。金型またはモデル９５の場合、電子機器および／または変換器筺体９７は、図１１Ｅに示すように、金型またはモデル９５に取り付けまたは接着され得、次いで、口腔器具９８を、その上で直接熱的形成し、その結果として、図１１Ｆに示すように、筺体を有して適切に形成される口腔器具９８をもたらし得る
同様に、図１２Ｃに示すように、金型９０が、その中に形成された筺体を既に有する印象９４を有する場合、金型またはモデル９９が、例えば、石膏から形成され、その結果として、図１２Ｄに示すように、３次元金型またはモデル９９がもたらされ得る。次いで、口腔器具９８を、金型またはモデル９９の上で直接熱的形成して、その結果として図１２Ｅの器具９８をもたらし得る。
【００５９】
金型９０を利用して物理的金型またはモデルを作成する場合、金型またはモデル上で直接熱的形成せずに、代替として、結果として得られる金型またはモデルを走査して、上述のように、歯列のデジタル画像を作成してもよい。
【００６０】
別の変形例では、図１３Ａおよび図１３Ｂに示すように、その中に形成される印象９２を有する金型９０は、金型９０に印象付けられる電子機器および／または変換器アセンブリ９６を有し得る。アセンブリ９６が望ましく位置した状態で、金型材料は、硬化され得るか、あるいは固めるように活性化され得、その後、その金型材料から口腔器具９８を機械加工または形成して、その結果として、図１３Ｃに示すように、ユーザの歯列に一致する器具９８をもたらし得る。
【００６１】
同様に、図１４に示すように、筺体金型が含まれた状態で印象９４が形成されると、電子機器および／または変換器アセンブリ９６は、図１４Ｂに示すように、適切な金型位置内に位置し得、金型９０は、硬化され得るか、あるいは固めるように活性化され得る。この固められた金型９０から、口腔器具９８は、同様に、図１４Ｃに示すように、機械加工または形成を介して形成され得るとともに、アセンブリ９６がその中に含まれる。
【００６２】
一致する口腔器具を形成または製作するためのさらに別の変形例では、ユーザの歯列のためのチャネル１０２を有する歯科用トレイ１００が、歯科用トレイ１００の舌側または頬側配向に沿って事前に形成された電子機器および／または変換器筺体１０４を有して提供され得る。図１５Ａの例は、筺体１０４がトレイ１００の頬面に沿って位置する全体の歯科用トレイ１００を図示するが、代替として、部分的なトレイを利用してもよく、筺体１０４の他の位置も実装してもよい。電子機器および／または変換器アセンブリ１０６は、図１５Ｂの部分断面図に示すように、筺体１０４内に事前に位置し得るとともに、１つ以上の一時的スペーサ１０８を介して保持され得る。
【００６３】
口腔器具を形成するために、材料１１２がアセンブリ１０６の周囲の任意の空間または空隙を充填してアセンブリ１０６をカプセル化するまで、トレイ１００は、上述の設定可能な材料もしくは硬化可能な材料１１２のいずれかで充填され得るか、または例えば、ディスペンサ１１０を利用して、湿気で活性化されたヒドロゲルを含み得る。次いで、ユーザは、図１５Ｃに示すように、１つまたは複数の歯ＴＨがトレイ１００内に十分位置するまで、歯列の適切な部分の上にトレイ１００を載置し得る。トレイ１００は、材料１１２が設定および固まるまで、１つまたは複数の歯ＴＨ上に維持され得る。次いで、一致する印象を含むトレイ１００は、患者の口から取り外され、結果として得られる口腔器具１１４およびアセンブリ１０６は、トレイ１００から取り外され、図１５Ｄに示すように、必要に応じて、調整または機械加工され得る。代替として、口腔器具１１４は、アセンブリ１０６を含まずに患者の歯列の周囲で形成されてもよく、アセンブリ１０６は、口腔器具１１４が形成された後に、例えば、接着剤を介して一体化、取り付け、あるいは付着され得る。
【００６４】
さらに別の代替では、トレイ１００は、例えば、エチレン酢酸ビニールまたはポリエチレン材料から作製される事前に形成されるトレイを備えてもよく、これらの材料は、トレイ１００を活性化するように加熱または沸騰され得る。活性化されると、ユーザは、トレイ１００を少なくとも部分的に金型内に入るように噛むか、またはトレイ１００をユーザの歯列に一致させ得る。アセンブリ１０６は、トレイ１００が一致した後に含まれ得るか、または一体化され得る。
【００６５】
上記に論じられるデバイスおよび方法の用途は、難聴の治療に限定されず、任意の数のさらなる治療用途を含み得る。さらに、このようなデバイスおよび方法は、体内の他の治療部位に適用され得る。本発明を実行するための上述のアセンブリおよび方法の修正、実用可能な異なる変化例の間での組み合わせ、ならびに当業者に明白な本発明の側面の変化例は、特許請求の範囲内にあることが意図される。
【図１】
2011528535.tif 000003
【図２Ａ】
2011528535.tif 000004
【図２Ｂ】
2011528535.tif 000005
【図２Ｃ】
2011528535.tif 000006
【図２Ｄ】
2011528535.tif 000007
【図３】
2011528535.tif 000008
【図４】
2011528535.tif 000009
【図５】
2011528535.tif 000010
【図６Ａ−６Ｄ】
2011528535.tif 000011
【図７Ａ−７Ｄ】
2011528535.tif 000012
【図８Ａ−８Ｄ】
2011528535.tif 000013
【図９Ａ−９Ｄ】
2011528535.tif 000014
【図１０Ａ−１０Ｂ】
2011528535.tif 000015
【図１１Ａ−１１Ｂ】
2011528535.tif 000016
【図１１Ｃ−１１Ｆ】
2011528535.tif 000017
【図１２Ａ−１２Ｂ】
2011528535.tif 000018
【図１２Ｃ−１２Ｅ】
2011528535.tif 000019
【図１３Ａ−１３Ｃ】
2011528535.tif 000020
【図１４Ａ−１４Ｃ】
2011528535.tif 000021
【図１５Ａ】
2011528535.tif 000022
【図１５Ｂ】
2011528535.tif 000023
【図１５Ｃ】
2011528535.tif 000024
【図１５Ｄ】
2011528535.tif 000025
【手続補正書】
【提出日】平成23年3月15日(2011.3.15)
【手続補正１】
【補正対象書類名】明細書
【補正対象項目名】００１０
【補正方法】変更
【補正の内容】
【００１０】
上記側面の実装は、以下のうちの１つ以上を含み得る。１つ以上の口腔内マイクロホンは、雑音消去マイクロホンであることができる。１つ以上の口腔内マイクロホンは、カージオイド型指向性マイクロホンおよび無指向性マイクロホンを含むことができる。口腔内マイクロホンのうちの一方は、口腔の方へ向けられ、他方の口腔内マイクロホンは、口腔から離れる方へ向けられ得る。１つ以上の口腔内マイクロホンは、所定の方向からの所定の周波数帯域における音声またはユーザ発話を強化し、他の方向からの信号を抑制するために、空間的および時間的フィルタリングを実行することができる。口腔内マイクロホンは、１つ以上の歯または口腔組織の上に位置し得る。口装着型通信機は、装着者に可聴である音声を提供するように、骨伝導デバイスを含むことができる。口装着型通信機は、カスタムの口腔デバイスであり得る。１つ以上の医療センサをその中に埋め込むことができる。また、データ記憶デバイスも本デバイスに埋め込むことができる。
（項目１）
ａ．遠隔ユニットと音声を通信する口装着型通信機であって、該口装着型通信機は口腔の内部に位置する、口装着型通信機と、
ｂ．該口装着型通信機に連結されている１つ以上の口腔内マイクロホンであって、該口腔内の組織と接触して該口腔の外部の音声を捕捉する、１つ以上の口腔内マイクロホンと
を備える、通信デバイス。
（項目２）
前記１つ以上の口腔内マイクロホンは、１つ以上の雑音消去マイクロホンを備える、項目１に記載の通信デバイス。
（項目３）
前記１つ以上の口腔内マイクロホンは、カージオイド型指向性マイクロホンおよび無指向性マイクロホンを備える、項目１に記載の通信デバイス。
（項目４）
口腔に向けられる第１の口腔内マイクロホンと、該口腔の外部の音声を受信するように配置される第２の口腔内マイクロホンとを備える、項目１に記載の通信デバイス。
（項目５）
前記１つ以上の口腔内マイクロホンは、空間的および時間的フィルタリングを実行することにより、所定の方向からの所定の周波数帯域における前記音声を強化し、他の方向からの信号を抑制する、項目１に記載の通信デバイス。
（項目６）
前記１つ以上の口腔内マイクロホンは、前記口腔内において頬の組織に対向するように、１つ以上の歯の上に位置している、項目１に記載の通信デバイス。
（項目７）
前記１つ以上の口腔内マイクロホンは、組織設置型である、項目１に記載の通信デバイス。
（項目８）
前記口装着型通信機は、骨伝導デバイスを備える、項目１に記載の通信デバイス。（項目９）
前記口装着型通信機は、カスタムの口腔デバイスを備える、項目１に記載の通信デバイス。
（項目１０）
前記口装着型通信機は、その中に埋め込まれる１つ以上の医療センサを備える、項目１に記載の通信デバイス。
（項目１１）
前記口装着型通信機は、データ記憶デバイスを備える、項目１に記載の通信デバイス。（項目１２）
発話を捕捉する方法であって、
ａ．口腔外の、および口腔内組織を通して伝導される発話を捕捉するために、該口腔内組織に接触する１つ以上のマイクロホンを口腔内に設置することと、
ｂ．該捕捉された発話から雑音を消去することと、
ｃ．該捕捉された発話を伝達することと
を含む、方法。
（項目１３）
通信のための音声を捕捉する方法であって、
ａ．音声を捕捉するために、口腔内における組織に接触する１つ以上のマイクロホンを設置することであって、該組織は、該口腔の外部からの音声を搬送する、ことと、
ｂ．音声を遠隔ユニットと通信するために、口装着型通信機を該口腔内に設置することと
を含む、方法。
（項目１４）
雑音を消去することを含む、項目１３に記載の方法。
（項目１５）
前記１つ以上の口腔内マイクロホンは、カージオイド型指向性マイクロホンおよび無指向性マイクロホンを備える、項目１３に記載の方法。
（項目１６）
第１の口腔内マイクロホンを前記口腔の方へ向け、第２の口腔内マイクロホンを該口腔から離れる方へ向けることを含む、項目１３に記載の方法。
（項目１７）
所定の方向からの所定の周波数帯域における前記音声を強化し、他の方向からの信号を抑制するために、空間的および時間的フィルタリングを実行することを含む、項目１３に記載の方法。
（項目１８）
前記１つ以上の口腔内マイクロホンを１つ以上の歯の上に設置することを含む、項目１３に記載の方法。
（項目１９）
前記１つ以上の口腔内マイクロホンを組織の上に設置することを含む、項目１３に記載の方法。
（項目２０）
骨伝導デバイスを使用して、音声出力を生成することを含む、項目１３に記載の方法。
【手続補正２】
【補正対象書類名】特許請求の範囲
【補正対象項目名】全文
【補正方法】変更
【補正の内容】
【特許請求の範囲】
【請求項１】
ａ．遠隔ユニットと音声を通信する口装着型通信機であって、該口装着型通信機は口腔の内部に位置する、口装着型通信機と、
ｂ．該口装着型通信機に連結されている１つ以上の口腔内マイクロホンであって、該口腔内の組織と接触して該口腔の外部の音声を捕捉する、１つ以上の口腔内マイクロホンと
を備える、通信デバイス。
【請求項２】
前記１つ以上の口腔内マイクロホンは、１つ以上の雑音消去マイクロホンを備える、請求項１に記載の通信デバイス。
【請求項３】
前記１つ以上の口腔内マイクロホンは、カージオイド型指向性マイクロホンおよび無指向性マイクロホンを備える、請求項１に記載の通信デバイス。
【請求項４】
口腔に向けられる第１の口腔内マイクロホンと、該口腔の外部の音声を受信するように配置される第２の口腔内マイクロホンとを備える、請求項１に記載の通信デバイス。
【請求項５】
前記１つ以上の口腔内マイクロホンは、空間的および時間的フィルタリングを実行することにより、所定の方向からの所定の周波数帯域における前記音声を強化し、他の方向からの信号を抑制する、請求項１に記載の通信デバイス。
【請求項６】
前記１つ以上の口腔内マイクロホンは、前記口腔内において頬の組織に対向するように、１つ以上の歯の上に位置している、請求項１に記載の通信デバイス。
【請求項７】
前記１つ以上の口腔内マイクロホンは、組織設置型である、請求項１に記載の通信デバイス。
【請求項８】
前記口装着型通信機は、骨伝導デバイスを備える、請求項１に記載の通信デバイス。
【請求項９】
前記口装着型通信機は、カスタムの口腔デバイスを備える、請求項１に記載の通信デバイス。
【請求項１０】
前記口装着型通信機は、その中に埋め込まれる１つ以上の医療センサを備える、請求項１に記載の通信デバイス。
【請求項１１】
前記口装着型通信機は、データ記憶デバイスを備える、請求項１に記載の通信デバイス。
【国際調査報告】
2011528535.tif 000026